(57)【要約】      （修正有）【課題】係合部により長時間着用しても耳の裏側が痛くならない快適な付け心地を確保したマスクを提供する。【解決手段】マスク１は、使用者の顔面の口及び鼻孔を覆うマスク本体部２と、マスク本体部２の両端から一体的に顔面の耳側へ延びて、耳に掛けられる１対の耳掛け部３とを備え、耳掛け部３には、Ｃ形の切断線４を介して横長の略楕円形状の切り起こし片５であって顔面側から端部側へ切り起こし可能な切り起こし片５が形成されると共に、この切り起こし片５の上下両側と端部側にわたる帯状部６が形成され、切り起こし片５を帯状部６の端部側帯部６ｂに巻き付けることによって使用者の耳に係合させるための係合部が形成されている。【選択図】図２
0003227245.tif 000002
【実用新案登録請求の範囲】
【請求項１】
多孔性の発泡ポリウレタン製シート材で形成されたマスクにおいて、
顔面の口及び鼻孔を覆う本体部と、
前記本体部の両端から一体的に顔面の耳側へ延びて、耳に掛けられる１対の耳掛け部とを備え、
前記耳掛け部には、Ｃ形の切断線を介して横長の略楕円形状の切り起こし片であって顔面側から端部側へ切り起こし可能な切り起こし片が形成されると共に、この切り起こし片の上下両側と端部側にわたる帯状部が形成され、
前記切り起こし片を前記帯状部の端部側帯部に巻き付けることによって使用者の耳に係合させるための係合部を形成可能に構成したことを特徴とするマスク。
【考案の詳細な説明】
【技術分野】
【０００１】
本考案は、多孔性の発泡ポリウレタン製シート材で形成されたマスクに関する。
【背景技術】
【０００２】
外気の粉塵、花粉を遮り、風邪やウィルス感染を予防するため、マスクを着用する重要性が高まっている。通常、マスクはマスク本体と耳掛け部を有し、マスク本体で口及び鼻孔を覆い、耳掛け部を耳に掛けることにより装着される。近年、ウィルス等病原菌の飛沫感染から身を守るため、マスクを長時間着用しなければならない機会が増えており、長時間の着用に耐えうる機能性が高く快適な着け心地のマスクが種々提案されている。
【０００３】
特許文献１のマスクは、発泡ポリウレタンで形成され、顔面の少なくとも口および鼻孔を覆う本体部と、本体部の両端から本体部と継ぎ目なく一体に接続して顔面の耳側へ向けて延び、耳に掛けられる開口部を有する掛け部と、本体部と継ぎ目なく一体に接続して顔面の目側に突出して設けられ、本体部の顔面側へ折り返し可能であって自身の弾性により顔面に接する突出部とを有している。多孔性の発泡ポリウレタンで形成されているため、適度な弾性や柔軟性を有し、個々人で異なる顔面の形状に沿って柔軟に形状が変化する。また、本体部から突出した部分が折り返された突出部は、本体部と顔面との間に形成される隙間を埋める役割を果たし機能性に優れている。
【０００４】
また、長時間マスクを着用した際、耳の裏側に生じる痛みを抑制する耳カバー付きマスクも提案されている。
特許文献２のマスクは、鼻と口を覆うシート状の本体部と、本体部の両端側に取り付けられる耳掛け部と、本体部の両端側に各々取り付けられて両側の耳を個別に覆う耳カバーとを有し、耳カバーは、耳全体を袋状に包んで耳に引っ掛かる引掛け部を有し、引掛け部の耳の裏側に対応する位置に上から下に沿って細長く凹み、この凹みに耳かけ部が嵌め込まれて耳に引っ掛けられる凹溝部を有する。これにより、耳カバーの引掛け部を両側の耳に引っ掛け、両側の耳掛け部を両側の耳カバーの凹溝部に引っ掛けてマスクを装着できるので、耳カバーによって両耳を覆った状態でマスクを着用でき、耳の裏側に生じる痛みを抑制できる。
【先行技術文献】
【特許文献】
【０００５】
【特許文献１】特開２０１９−９０１３４号公報
【特許文献２】特開２０１９−９４６０１号公報
【考案の概要】
【考案が解決しようとする課題】
【０００６】
特許文献１のマスクは、伸縮性及び弾力性のある発泡ポリウレタンのシートで形成され、顔面の形状に沿って柔軟に形状が変化するが、耳に掛ける掛け部も発泡ポリウレタンのシート１枚で形成されており、掛け部と耳の裏側の皮膚が擦られて痛みが生じるという問題がある。
【０００７】
一方、特許文献２のマスクは、耳カバーによって両耳を覆った状態でマスクを着用でき、耳掛け部と耳の裏側の皮膚が擦られて生じる痛みは抑制できるが、マスク本体部の両端側に耳カバーを設ける必要があり、マスクの構造が複雑化し、製造コストが高くなるという問題がある。
【０００８】
そこで、本考案の目的は、長時間着用しても耳の裏側の痛みを抑制できるマスクを提供することである。
【課題を解決するための手段】
【０００９】
請求項１のマスクは、多孔性の発泡ポリウレタン製シート材で形成されたマスクにおいて、顔面の口及び鼻孔を覆う本体部と、前記本体部の両端から一体的に顔面の耳側へ延びて、耳に掛けられる１対の耳掛け部とを備え、前記耳掛け部には、Ｃ形の切断線を介して横長の略楕円形状の切り起こし片であって顔面側から端部側へ切り起こし可能な切り起こし片が形成されると共に、この切り起こし片の上下両側と端部側にわたる帯状部が形成され、前記切り起こし片を前記帯状部の端部側帯部に巻き付けることによって使用者の耳に係合させるための係合部を形成可能に構成したことを特徴としている。
【考案の効果】
【００１０】
本考案のマスクによれば、使用者の耳の裏側に係合部が係合されることにより耳にかかる負担を軽減することができるから、長時間着用し続けても耳の裏側が痛くならない快適な付け心地を確保することができる。
【図面の簡単な説明】
【００１１】
【図１】本実施形態のマスクを横から見た平面図である。
【図２】本実施形態のマスクを広げた状態の平面図である。
【図３】本実施形態のマスクの切り起こし片を巻き付けた状態の平面図である。
【図４】(ａ)マスクにＣ形の切断線を入れた状態図である。(ｂ)切り起こし片を１８０°折り返した状態図である。(ｃ) 切り起こし片をさらに内側に１８０°折り返した状態図である。(ｄ)切り起こし片の端部をさらに外側へ１８０°折り返して係合部が形成された状態図である。
【図５】本実施形態のマスクを着用時の前方左側から見た斜視図である。
【図６】本実施形態のマスクを着用時の後方右側から見た斜視図である。
【考案を実施するための形態】
【００１２】
以下、本発明の実施の形態について、図面に基づいて説明する。
尚、本実施形態では、マスクが立体形状を形成し、マスク本体部の中心線において二つ折りにされるマスクを例にして説明するが、この種のマスクに限定されない。
【００１３】
図１〜図３に示すように、マスク１は、使用者の顔面に装着されるマスク本体部２と、使用者の両耳に掛けられる１対の耳掛け部３とを備えている。このマスク１は多孔性の発泡ポリウレタン（例えば、厚さ２〜３ｍｍのポリウレタン）で一体形成されている。
マスク１は、同一形状の２枚のシート材を重ね合わせて一端部の湾曲状の周縁部同士を縫合して形成され、マスク本体部２と１対の耳掛け部３とは連続した一体形状となっている。
【００１４】
マスク１は、未使用時においては、図１に示すように、マスク本体部２を半分に折り畳み、１対の耳掛け部３同士は重ね合わされた状態となっている。マスク１を使用するときは、図２に示すように、１対の耳掛け部３を互いに引き離すように反対側へ引っ張り展開することにより、マスク本体部２が前方に膨らんで顔面に装着可能な立体的な形状となる。
【００１５】
すなわち、マスク本体部２においては、２枚のシート材の一端部の湾曲状の周縁部同士を縫合すると縫合部８が形成される。そのため、マスク１として展開したとき、この縫合部８側が緩やかに前方へ突出した形状となる。これにより、マスク１を使用者の顔面に装着したとき、マスク本体部２は顔面の口及び鼻孔を覆うとともに、マスク本体部２の内面と顔面との間には適度な空間が形成される。また、マスク本体部２は、マスク１を顔面に着用した時、縫合部８が顔面の上下方向に延びた状態となる。尚、マスク本体部２の横幅は約１０ｃｍで、縦の長さは約１２ｃｍである。
【００１６】
１対の耳掛け部３は、このマスク本体部２の左右両端からそれぞれ顔面の耳側へ向けて延びている。耳掛け部３は、使用者の耳が挿入される開口部９と、切り起こし片５と、帯状部６と、マスク使用時に使用者の耳の裏側に係合する係合部７とを備えている。尚、耳掛け部３の横幅は約８ｃｍで縦の長さは約８．５ｃｍである。
【００１７】
切り起こし片５は、耳掛け部３の略中央領域に形成された横長Ｃ形の切断線４を介して横長の略楕円形状に切り起こされている。
切り起こし片５は、切断線４によって切断され、基端部５ｂ以外は耳掛け部３から切り離されている、すなわち、切り起こし片５の基端部５ｂは耳掛け部３と一体のままで切り離されていない。尚、切り起こし片５は、横幅が約６ｃｍで縦約４．５ｃｍ程度が好ましい。
【００１８】
開口部９は、切り起こし片５を基端部５ｂを基点として外側へ切り起こすことによって形成される。このため、開口部９は、切り起こし片５と同様に略楕円形状となる。使用者の耳が開口部９に挿入されることにより、耳掛け部３は使用者の耳の後方に引っ張られる。
マスク１を形成する発泡ポリウレタンは、適度な伸縮性、柔軟性及び弾性を有している。そのため、マスク１を使用者の顔面に装着する場合、マスク１はマスク本体部２を含む耳掛け部３の伸縮を利用して耳掛け部３が耳の後方まで引っ張られるとともに、自身の弾性力で顔面に密着状に保持される。
【００１９】
耳掛け部３には、切り起こし片５の上下両側と端部側にわたる帯状部６が形成され、切り起こし片５を帯状部６の端部側帯部６ｂに巻き付けることによって使用者の耳の裏側に係合させるための係合部７が形成される。
ここで、帯状部６は、上側帯部６ａ、端部側帯部６ｂ、下側帯部６ｃが連続して一体形成された幅広の紐状部である。尚、上側帯部６ａ及び下側帯部６ｃは幅約１．０ｃｍ〜１．５ｃｍで、端部側帯部６ｂは、約２ｃｍが好ましい。
【００２０】
次に、使用者がマスク１を着用する際、切り起こし片５を端部側帯部６ｂに巻き付けることによって形成される係合部７について詳細に説明する。
図４(ａ)〜図４（ｃ）は、使用者がマスク１を着用する前の状態(未使用状態)を示している。
図４(ａ)の状態から、図４(ｂ)に示すように、まず切り起こし片５を最初に外側に１８０°折り返す。これにより開口部９が形成される。
【００２１】
次に、図４(ｃ)に示すように、更に、切り起こし片５を、内側に１８０°折り返して帯状部６の端部側帯部６ｂに巻き付ける。このとき、切り起こし片５の先端部５ａの表面が開口部９の下側に現れる。
【００２２】
次に、図４(ｄ)に示すように、切り起こし片５の先端部５ａをさらに外側へ１８０°折り返すとシート材を重畳した状態のクッション性を有する係合部７が形成される。この状態が、使用者がマスク１を着用する使用状態となる。
つまり、係合部７は、使用者がマスク１を着用する際、切り起こし片５を端部側帯部６ｂに約１周半巻きつけられることにより、少なくともシート材を３重〜４重に重ね合わせた状態で使用者の耳の裏側に係合されることになる。
【００２３】
そして、図５及び図６に示すように、使用者がマスク１を着用した際、開口部９の内側から耳を挿入するとともに、耳掛け部３の伸縮を利用して耳掛け部３を耳の後方まで引っ張って耳の裏側に係合部７を係合させて、マスク本体部２の縫合部８が鼻の中心に位置するように装着される。
【００２４】
以上説明した本実施形態のマスク１は、着用時に使用者の顔面の少なくとも口及び鼻孔を覆う大きさのマスク本体部２と、マスク本体部２の左右両端から一体的に顔面の耳側へ延びて、耳に掛けられる１対の耳掛け部３とを備えている。耳掛け部３には、Ｃ形の切断線４を介して横長の略楕円形状の切り起こし片５であって顔面側から端部側へ切り起こし可能な切り起こし片５が形成されると共に、この切り起こし片５の上下両側と端部側にわたる帯状部６が形成され、切り起こし片５を帯状部６の端部側帯部６ｂに巻き付けることによって使用者の耳の裏側に係合させるための係合部７が形成されるので、長時間着用しても耳の裏側が痛くならない快適な付け心地を確保することができる。
【００２５】
また、本実施形態のマスク１は、多孔性の発泡ポリウレタン製シート材で形成されているので、何回も洗って使用することができるので、長期間使用可能である。
【００２６】
次に、前記実施形態を部分的に変更した変形例について説明する。
１〕前記実施形態においては、マスク本体部の中央を縫い合わせたマスクを例で説明したが、縫い合わせたものに限定されるものではなく、例えば、マスク本体部の中央を熱融着により圧着させたマスクであっても良い。
【００２７】
２〕前記実施形態においては、切り起こし片を端部側帯部に巻きつけて係合部を形成する際、切り起こし片を計３回１８０°折り返すマスクを例で説明したが、切り起こし片を端部側帯部に巻き付けてあれば良く、３回に限定されない。
３〕マスク本体部の表面に抗菌性及び防臭性を有する物（竹炭等）を塗布してもよい。
【００２８】
４〕その他、当業者であれば、本発明の趣旨を逸脱することなく、前記実施形態に種々の変更を付加した形態や各実施形態を組み合わせた形態で実施可能であり、本発明はそのような変更形態も包含するものである。
【符号の説明】
【００２９】
１      マスク
２      マスク本体部
３      耳掛け部
４      Ｃ形の切断線
５      切り起こし片
６      帯状部
６ｂ    端部側帯部
７      係合部
【図１】
0003227245.tif 000003
【図２】
0003227245.tif 000004
【図３】
0003227245.tif 000005
【図４】
0003227245.tif 000006
【図５】
0003227245.tif 000007
【図６】
0003227245.tif 000008